(57)【要約】【目的】複数枚の用紙に記入されたデータの用紙毎の変化の傾向を視覚により短時間で直観的に認識できるデータ記入用紙を提供する。【構成】データを表形式で記入する第１のデーター記入欄４の他に、前記データを表形式で記入する第２のデーター記入欄９を、めくり操作のしやすいコーナー部に設ける。データ記入を終えた当該用紙を所定の順序で重ね合わせ、第２のデータ記入欄９が印刷されたコーナー部を折り曲げた状態から、素早く順に戻すいわゆる「パラパラ・アニメ」の操作により、記入データの用紙毎の変化をコマ送り形式で動画のように表示できる。これを目視すれば、パソコンによるデータ処理を用いずとも、記入データの変化の傾向を短時間で直観的に認識できる。【選択図】　　　図２
0003098591.tif 000002
【実用新案登録請求の範囲】
【請求項１】
調査結果等の各種データを記入するデータ記入用紙であって、四角形の紙片の４つのコーナー部の少なくとも１つのコーナー部を除く部分の表面に、前記データを表形式で記入する第１のデーター記入欄が印刷されており、前記少なくとも１つのコーナー部の表面に、前記データをグラフ形式で記入する第２のデータ記入欄が印刷されていることを特徴とするデータ記入用紙。
【請求項２】
データ記入を終えた当該用紙を所定の順序で重ね合わせ、前記第２のデータ記入欄が印刷されたコーナー部を折り曲げた状態で、下から順番に素早く元へ戻す操作により、記入データの変化をコマ送り形式で表示できるようにした請求項１に記載のデータ記入用紙。
【請求項３】
前記第２のデータ記入欄が印刷されたコーナー部は、前記操作が特に容易な右下である請求項１又は２に記載のデータ記入用紙。
【請求項４】
所定期間毎の調査結果を記入する調査報告書である請求項１、２又は３に記載のデータ記入用紙。
【考案の詳細な説明】
【０００１】
【考案の属する技術分野】
本考案は、調査結果等の各種データを記入するデータ記入用紙に関し、特に、所定期間ごとの調査結果を記入して報告する調査報告書として適したデータ記入用紙に関する。
【０００２】
【従来の技術】
調査結果等の各種データを記入するデータ記入用紙としては、用途に応じて実に多くの種類のものが提案されている。それらのデータ記入用紙におけるデータ記入様式としては表形式が一般的であり、一部グラフ形式も用いられている。
【０００３】
ところで、データ記入用紙の一種として環境生物管理報告書がある。環境生物管理報告書とは、例えば管理業者が食品製造業者等と契約し、その製造施設内における昆虫、害獣の生息状況等を定期的に点検し、点検結果と有効な対策を契約者に報告書として提示するものである。
【０００４】
【考案が解決しようとする課題】
環境生物管理報告書のように定期的に提出する報告書では、過去に蓄積された報告書の記載から、記載内容の時系列的な変化を読み取ることが必要になる場合が少なくない。環境生物管理報告書の場合、例えば昆虫、害獣等の生息状況が悪化する傾向にあるのか改善される傾向にあるのかを知ることであり、更には、過去に行った維持対策の頻度等を知り、その維持対策が十分か不十分かを知ることなどである。これらを知ることにより、今後の対策をより効果的なものとすることができる。
【０００５】
しかしながら、過去の報告書の１枚１枚に記入されたデータから、そのデータの時系列的な変化を読み取る場合、これまでは報告書を１枚１枚手めくりして記入データを追って行かなければならず、その変化を短時間で直観的に認識するようなことは不可能であった。即ち、パソコンでデータ処理を行うようなことをしない限り、報告書に記載されたデータから視覚的に傾向を読み取るようなことは不可能であった。
【０００６】
本考案はかかる事情に鑑みて創案されたものであり、複数枚の用紙に記入されたデータの用紙毎の変化の傾向を視覚により短時間で直観的に認識できるデータ記入用紙を提供することを目的としている。
【０００７】
【課題を解決するための手段】
上記目的を達成するために、本考案に係るデータ記入用紙は、調査結果等の各種データを記入するデータ記入用紙であって、四角形の紙片の４つのコーナー部の少なくとも１つのコーナー部を除く部分の表面に、前記データを表形式で記入する第１のデーター記入欄が印刷されており、前記少なくとも１つのコーナー部の表面に、前記データをグラフ形式で記入する第２のデータ記入欄が印刷されている。
【０００８】
本考案に係るデータ記入用紙では、データを表形式で記入する第１のデーター記入欄の他に、前記データを表形式で記入する第２のデーター記入欄が、めくり戻しをしやすいコーナー部に印刷されている。データ記入を終えた当該用紙を所定の順序で重ね合わせ、第２のデータ記入欄が印刷されたコーナー部を折り曲げた後、復元力を利用して素早く下から順番に解放して元へ戻す、いわゆる「パラパラ・アニメ」の操作により、記入データの用紙毎の変化が、あたかも動画のように表示される。これにより、記入データの変化の傾向を目視により短時間で直観的に認識することが可能となる。
【０００９】
第２のデータ記入欄が印刷されるコーナー部は、「パラパラ・アニメ」の操作が特に容易な右下が好ましい。第２のデータ記入欄におけるグラフの形式は問わない。またグラフの数も問わず、１又は複数の何れでもよい。
【００１０】
本考案に係るデータ記入用紙の用途としては、所定期間毎の調査結果を記入する調査報告書が好ましい。その報告書を古い順番に重ね合わせ、第２のデータ記入欄が印刷されたコーナー部を素早くめくり戻しすることにより、調査結果の過去から現在に至る時系列的な変化をコマ送り形式で表示できる。
【００１１】
【考案の実施の形態】
以下に本考案の一実施形態を図面に基づいて説明する。図１は本考案の一実施形態を示すデータ記入用紙の様式図、図２は同データ記入用紙の使用法の説明図である。
【００１２】
本実施形態に係るデータ記入用紙は、図１に示すように、環境生物管理報告書である。環境生物管理報告書とは、前述したとおり、食品製造業者等と契約した衛生管理業者がその製造施設を定期的に訪れ、その製造施設の衛生状態、特に昆虫（ゴキブリ、シロアリ、蚊、ハエなど）や害獣（ネズミ、イタチなど）の生物生息状況面からの衛生状態を定期的に点検し、点検結果と有効な対策を点検毎に契約者に報告書として提示するものである。
【００１３】
この報告書は、Ａ４やＢ５といった定型サイズの紙片の表面に以下の各記入欄を印刷した様式となっている。上部の右端を除く部分は、契約者（点検施設）の名称等を記入する名称記入欄１である。上部の右端は、衛生管理業者の担当者名を記入する担当者欄２である。契約者欄１の下は、契約した調査の内容を記入する調査内容欄３である。調査内容欄３の更に下は、調査結果を表形式で記入する第１のデータ記入欄４である。
【００１４】
担当者欄２の下側で、調査内容欄３及び第１のデータ記入欄４の左は、対策に使用する商品名、使用量などを表示する第１商品欄５である。第１のデータ記入欄４の下は、対策に使用するオプション商品を示す第２商品欄６、昆虫、害獣の生息レベルを５段階で評価して記入する生息レベル欄７及び所見欄８である。そして、その左側で、第１商品欄５の下は、調査結果をグラフ形式で記入する第２のデータ記入欄９であり、右下のコーナー部に配されている。
【００１５】
第１のデータ記入欄４は出入ライン、給排ラインといった点検エリア毎に「現場状況」「建物環境」「実施数量」を定量的に評価して記入するものである。
【００１６】
ここで「現場状況」は清潔度、整理度、改善度、餌遮断、搬入物の５項目を各２０点満点で評価し、その合計点（１００点満点）で総合評価を行い、各エリアの平均点を最下段に記入する。「建物環境」は温度、湿度、臭気、壁部、床部の５項目を各２０点満点で評価し、その合計点（１００点満点）で総合評価を行い、各エリアの平均点を最下段に記入する。
【００１７】
また「実施数量」は、昆虫及び害獣の両方につき、生息レベルを５段階で評価して記入すると共に、対策に使う物理処理の数量及び薬品処理の数量を記入する。そして、各エリアの昆虫生息レベルの平均点（５段階評価）及び害獣生息レベルの平均点（５段階評価）を生息レベル欄７に記入する。
【００１８】
右下のコーナー部に印刷された第２のデータ記入欄９は、上段の「評価チャート」と下段の「ケアメーター」とからなる。上段の「評価チャート」は、昆虫生息レベル及び害獣生息レベルを縦軸、現場状況及び建物環境を横軸とし、第１のデータ記入欄４の「現場状況」「建物環境」の各最下段に記入された平均点を縦軸上に、生息レベル欄７に記入された昆虫生息レベル及び獣害生息レベルの平均点を横軸上にそれぞれ表示し、各軸上の表示点を直線で結んで形成される四角形の形状から、当該施設の生物生息状況面からの総合的な衛生状態を表示する。
【００１９】
下段の「ケアメーター」は、第１のデータ記入欄４に記載された実施数量、すなわち出入ライン、給排ラインといった点検エリア毎の点検ポイント数と、物理的処理を施した箇所の数と、薬品処理をした箇所の数とを加算した点数を示す部分である。この「ケアメーター」においては、前記加算した点数を示す部分に向かった扇形の中心からの矢印を記載することで記録が行われる。
【００２０】
次に、本実施形態に係るデータ記入用紙、即ち環境生物管理報告書の使用方法について説明する。
【００２１】
衛生管理業者が契約した食品製造業者等の製造施設を定期的に、必要に応じて臨時に訪れ、所定の点検を行って、当該報告書を作成する。所定期間これを継続することより報告書が溜まる。それらの報告書は衛生管理業者の側で、また契約者の側で古い順に重ねて綴じられる。
【００２２】
当該施設の生物生息状況面からの総合的な衛生状態を、過去から現在にかけての傾向として知りたいとき、報告書を順番にめくり、各報告処理の第１のデータ記入欄４に表形式で記入されたデータを順番に読み取れば、一応はその衛生状態の変化が分かる。しかながら、イメージとして明瞭とは言えず、作業に時間もかかる。
【００２３】
そのような場合、この報告書では、図２に示すように、古い順に綴じた報告書の右下のコーナー部を指先で上に折り曲げ、下から順番に元に戻す所謂「パラパラ・アニメ」の操作を行う。即ち、重ね合わせた複数枚の用紙のコーナー部を上に折り曲げた状態で、復元力を利用して下から順番に解放して元に戻す。この操作を行うと、右下コーナー部の第２のデータ記入欄９に記入された図形がコマ送りの要領で変化し、記入データの変化がアニメーション形式で動画的に表示される。その結果、衛生状態の変化傾向などの知りたい情報が視覚により短時間で直観的に認識できる。
【００２４】
なお、上記実施形態は、本考案を環境生物管理報告書に適用したものであるが、他の報告書に適用してもよい、報告書以外のデータ記入用紙に適用してもよい。
【００２５】
【考案の効果】
以上に説明したとおり、本考案に係るデータ記入用紙は、データを表形式で記入する第１のデーター記入欄の他に、前記データを表形式で記入する第２のデーター記入欄を、めくりやすいコーナー部に印刷したことにより、データ記入を終えた当該用紙を所定の順序で重ね合わせ、第２のデータ記入欄が印刷されたコーナー部を折り曲げた状態から順に戻す操作により、記入データの用紙毎の変化をコマ送り形式で動画的に表示でき、これを目視することにより、パソコンによるデータ処理を持ちいずとも、記入データの変化の傾向を短時間で直観的に認識できる利便さがある。
【図面の簡単な説明】
【図１】本考案の一実施形態を示すデータ記入用紙の様式図である。
【図２】同データ記入用紙の使用法の説明図である。
【符号の説明】
４　第１のデータ記入欄
９　第２のデータ記入欄
【図１】
0003098591.tif 000003
【図２】
0003098591.tif 000004